(57)【要約】      （修正有）【課題】コンテンツ共有の利便性を向上可能なコンテンツ共有システム、コンテンツ共有装置、コンテンツ共有方法、及びコンテンツ共有プログラムを提供する。【解決手段】コミック共有システムは、複数のユーザ間におけるコミックの共有を可能にするコミック共有システムである。コミック共有システムは、ユーザの電子アドレス帳上及びソーシャルメディア上におけるユーザの人間関係情報を管理する人間関係情報管理部１２と、所定人数分の再生権を伴うコミックの購入をユーザから受け付ける購入処理部３３と、ユーザの人間関係情報に基づいてコミックの再生権を他ユーザに通知する通知処理部１４（再生権通知部）と、再生権の通知に応じた所定人数以下の他ユーザにコミックの再生を許可する共有処理部３５（再生許可部）とを備える。【選択図】図２
2014143602.tif 000002
【特許請求の範囲】
【請求項１】
複数のユーザ間におけるコンテンツの共有を可能にするコンテンツ共有システムにおいて、
ユーザの電子アドレス帳上及びソーシャルメディア上における前記ユーザの人間関係情報を管理する人間関係情報管理部と、
所定人数分の再生権を伴うコンテンツの購入を前記ユーザから受け付ける購入処理部と、
前記ユーザの人間関係情報に基づいて前記コンテンツの再生権を他ユーザに通知する再生権通知部と、
前記再生権の通知に応じた前記所定人数以下の他ユーザに前記コンテンツの再生を許可する再生許可部と、
を備えるコンテンツ共有システム。
【請求項２】
前記ユーザにより購入されたコンテンツの再生が前記他ユーザに許可された場合に、前記複数のユーザ間において共有可能な他コンテンツの再生に利用可能な二次再生権を前記ユーザに付与する二次再生権付与部をさらに備える、請求項１に記載のコンテンツ共有システム。
【請求項３】
前記コンテンツ共有システムにより提供されるコンテンツ共有サービスの登録ユーザに前記コンテンツの再生権を提示する再生権提示部をさらに備え、
前記再生許可部は、前記二次再生権を有し、かつ前記再生権の提示に応じた時点が早い順に前記所定人数以下の登録ユーザに前記他コンテンツの再生を許可する、請求項２に記載のコンテンツ共有システム。
【請求項４】
前記購入処理部は、前記コンテンツの再生が許可された前記他ユーザから所定人数分の再生権の購入を受け付け、
前記再生権通知部は、前記他ユーザの人間関係情報に基づいて前記コンテンツの再生権を前記他ユーザ以外のユーザに通知し、
前記再生許可部は、前記再生権の通知に応じた前記所定人数以下のユーザに前記コンテンツの再生を許可する、請求項１〜３のいずれか一項に記載のコンテンツ共有システム。
【請求項５】
前記再生権通知部は、前記ユーザの人間関係情報に含まれる特定の他ユーザに前記コンテンツの再生権を通知し、
前記再生許可部は、前記再生権の通知に応じた時点が早い順に前記所定人数以下の他ユーザに前記コンテンツの再生を許可する、請求項１〜４のいずれか一項に記載のコンテンツ共有システム。
【請求項６】
前記再生権通知部は、前記ユーザの人間関係情報に含まれるとともに前記ユーザにより指定された前記所定人数以下の特定の他ユーザに前記コンテンツの再生権を通知し、
前記再生許可部は、前記再生権の通知に応じた全ての前記他ユーザに前記コンテンツの再生を許可する、請求項１〜４のいずれか一項に記載のコンテンツ共有システム。
【請求項７】
前記再生権通知部は、前記再生権を通知してから所定期間が経過しても前記所定人数の他ユーザにより前記コンテンツが再生されない場合には、前記ユーザの人間関係情報に基づいて、前記ユーザにより購入された前記コンテンツが管理される管理場所の情報とともに、前記管理場所にアクセス可能な他ユーザに前記コンテンツの再生権を通知し、
前記再生許可部は、前記再生権の通知に応じた時点が早い順に、前記コンテンツを再生しなかった人数以下の他ユーザに前記コンテンツの再生を許可する、請求項５又は６に記載のコンテンツ共有システム。
【請求項８】
前記再生権通知部は、前記ユーザの人間関係情報に基づいて、前記ユーザにより購入されたコンテンツが管理される管理場所の情報とともに、前記管理場所にアクセス可能な他ユーザに前記コンテンツの再生権を通知し、
前記再生許可部は、前記再生権の通知に応じた時点が早い順に前記所定人数以下の他ユーザに前記コンテンツの再生を許可する、請求項１〜４のいずれか一項に記載のコンテンツ共有システム。
【請求項９】
前記再生権通知部は、前記他ユーザによる前記コンテンツの再生履歴に応じて、前記コンテンツの再生権の通知、又は前記管理場所の情報を伴う前記コンテンツの再生権の通知を行う、請求項８に記載のコンテンツ共有システム。
【請求項１０】
前記コンテンツ共有システムにより提供されるコンテンツ共有サービスの登録ユーザに前記コンテンツの再生権を提示する再生権提示部をさらに備え、
前記再生許可部は、前記再生権の提示に応じた時点が早い順に前記所定人数以下の他ユーザに前記コンテンツの再生を許可する、請求項１〜４のいずれか一項に記載のコンテンツ共有システム。
【請求項１１】
前記再生権提示部は、前記コンテンツを購入したユーザを匿名にした状態で前記コンテンツの再生権を提示する、請求項１０に記載のコンテンツ共有システム。
【請求項１２】
前記再生権通知部は、前記他ユーザのコンテンツ共有装置が前記ユーザの人間関係情報にアクセス可能なアプリケーションを搭載している場合には、前記アプリケーションを搭載していない場合よりも情報量の多い形態で前記コンテンツの再生権を通知する、請求項１〜１１のいずれか一項に記載のコンテンツ共有システム。
【請求項１３】
複数のユーザ間におけるコンテンツの共有を可能にするコンテンツ共有システムに接続可能なコンテンツ共有装置において、前記コンテンツ共有システムがユーザの電子アドレス帳上及びソーシャルメディア上における前記ユーザの人間関係情報を管理しており、
前記コンテンツ共有装置は、
所定人数分の再生権を伴うコンテンツを購入した前記ユーザから、前記ユーザの人間関係情報に基づいて前記コンテンツの再生権の通知を受ける再生権被通知部と、
前記コンテンツの再生権が前記所定人数未満にのみ許可されている際に前記コンテンツ共有装置の他ユーザが前記再生権の通知に応じた場合に、前記コンテンツの再生が許可される再生被許可部と、
を備えるコンテンツ共有装置。
【請求項１４】
複数のユーザ間におけるコンテンツの共有を可能にするコンテンツ共有方法において、
ユーザの電子アドレス帳上及びソーシャルメディア上における前記ユーザの人間関係情報を管理するコンテンツ共有システムによって、
所定人数分の再生権を伴うコンテンツの購入を前記ユーザから受け付ける購入処理ステップと、
前記ユーザの人間関係情報に基づいて前記コンテンツの再生権を他ユーザに通知する再生権通知ステップと、
前記再生権の通知に応じた前記所定人数以下の他ユーザに前記コンテンツの再生を許可する再生許可ステップと、
を含むコンテンツ共有方法。
【請求項１５】
複数のユーザ間におけるコンテンツの共有を可能にするコンテンツ共有方法において、
前記コンテンツ共有方法は、
ユーザの電子アドレス帳上及びソーシャルメディア上における前記ユーザの人間関係情報を管理するコンテンツ共有システムに接続可能なコンテンツ共有装置によって、
所定人数分の再生権を伴うコンテンツを購入した前記ユーザから、前記ユーザの人間関係情報に基づいて前記コンテンツの再生権の通知を受ける再生権被通知ステップと、
前記コンテンツの再生権が前記所定人数未満にのみ許可されている際に前記コンテンツ共有装置の他ユーザが前記再生権の通知に応じた場合に、前記コンテンツの再生が許可される再生被許可ステップと、
を含むコンテンツ共有方法。
【請求項１６】
複数のユーザ間におけるコンテンツの共有を可能にするコンテンツ共有方法をコンピュータに実行させるためのコンテンツ共有プログラムにおいて、
前記コンテンツ共有方法は、
ユーザの電子アドレス帳上及びソーシャルメディア上における前記ユーザの人間関係情報を管理するコンピュータによって、
所定人数分の再生権を伴うコンテンツの購入を前記ユーザから受け付ける購入処理ステップと、
前記ユーザの人間関係情報に基づいて前記コンテンツの再生権を他ユーザに通知する再生権通知ステップと、
前記再生権の通知に応じた前記所定人数以下の他ユーザに前記コンテンツの再生を許可する再生許可ステップと、
を含むコンテンツ共有プログラム。
【請求項１７】
複数のユーザ間におけるコンテンツの共有を可能にするコンテンツ共有方法をコンピュータに実行させるためのコンテンツ共有プログラムにおいて、
前記コンテンツ共有方法は、
ユーザの電子アドレス帳上及びソーシャルメディア上における前記ユーザの人間関係情報を管理するコンピュータに接続可能なコンピュータによって、
所定人数分の再生権を伴うコンテンツを購入した前記ユーザから、前記ユーザの人間関係情報に基づいて前記コンテンツの再生権の通知を受ける再生権被通知ステップと、
前記コンテンツの再生権が前記所定人数未満にのみ許可されている際に前記コンテンツ共有装置の他ユーザが前記再生権の通知に応じた場合に、前記コンテンツの再生が許可される再生被許可ステップと、
を含むコンテンツ共有プログラム。
【発明の詳細な説明】
【技術分野】
【０００１】
本発明は、複数のユーザ間におけるコンテンツの共有を可能にするコンテンツ共有システム、コンテンツ共有装置、コンテンツ共有方法、及びコンテンツ共有プログラムに関する。
【背景技術】
【０００２】
従来、コンテンツ共有システムとしては、例えば国際公開第２０１１／０９２８７０号パンフレットに記載されるように、複数のグループへの所属を通じて、ユーザの自由意思に従って共有コンテンツの拡充を実現することを可能とするシステムが知られている。
【０００３】
このシステムでは、共有サービスを利用する複数のユーザ間においてコンテンツの共有が可能となる。ユーザがコンテンツを購入すると、ユーザと同じグループに属する他ユーザからアクセス可能なグループ本棚にコンテンツが登録される。そして、他ユーザがグループ本棚に能動的にアクセスすることにより、ユーザとの間においてコンテンツの共有が可能となる。
【先行技術文献】
【特許文献】
【０００４】
【特許文献１】国際公開第２０１１／０９２８７０号パンフレット
【発明の概要】
【発明が解決しようとする課題】
【０００５】
しかし、上記システムにおいて、コンテンツの共有を望む他ユーザは、共有サービスを利用してグループ本棚へ能動的にアクセスしなければ、共有可能なコンテンツを認識できない。また、同じグループに属するユーザ間であっても情報の共有度が低い場合には、他ユーザがコンテンツの共有を望むか否かをユーザが認識し難くなる。このため、上記システムには、コンテンツ共有の利便性を向上する余地があるといえる。
【０００６】
そこで、本発明は、コンテンツ共有の利便性を向上可能なコンテンツ共有システム、コンテンツ共有装置、コンテンツ共有方法、及びコンテンツ共有プログラムを提供しようとするものである。
【課題を解決するための手段】
【０００７】
本発明に係るコンテンツ共有システムは、複数のユーザ間におけるコンテンツの共有を可能にするコンテンツ共有システムである。コンテンツ共有システムは、ユーザの電子アドレス帳上及びソーシャルメディア上におけるユーザの人間関係情報を管理する人間関係情報管理部と、所定人数分の再生権を伴うコンテンツの購入をユーザから受け付ける購入処理部と、ユーザの人間関係情報に基づいてコンテンツの再生権を他ユーザに通知する再生権通知部と、再生権の通知に応じた所定人数以下の他ユーザにコンテンツの再生を許可する再生許可部とを備える。
【０００８】
本発明に係るコンテンツ共有システムによれば、ユーザの電子アドレス帳上及びソーシャルメディア上におけるユーザの人間関係情報に基づいてコンテンツの再生権が他ユーザに通知される。このため、コンテンツの共有を望む他ユーザは、共有サービスを利用したり、能動的に行動したりしなくても、共有可能なコンテンツを認識できる。また、コンテンツを購入したユーザは、コンテンツの共有を望むか否かを人間関係情報に基づいて認識した上で他ユーザとの間においてコンテンツを共有し易くなる。
【０００９】
本発明に係るコンテンツ共有装置は、複数のユーザ間におけるコンテンツの共有を可能にするコンテンツ共有システムに接続可能なコンテンツ共有装置である。コンテンツ共有システムは、ユーザの電子アドレス帳上及びソーシャルメディア上におけるユーザの人間関係情報を管理している。コンテンツ共有装置は、所定人数分の再生権を伴うコンテンツを購入したユーザから、ユーザの人間関係情報に基づいてコンテンツの再生権の通知を受ける再生権被通知部と、コンテンツの再生権が所定人数未満にのみ許可されている際にコンテンツ共有装置の他ユーザが再生権の通知に応じた場合に、コンテンツの再生が許可される再生被許可部とを備える。
【００１０】
本発明に係るコンテンツ共有方法は、複数のユーザ間におけるコンテンツの共有を可能にするコンテンツ共有方法である。コンテンツ共有方法は、ユーザの電子アドレス帳上及びソーシャルメディア上におけるユーザの人間関係情報を管理するコンテンツ共有システムによって、所定人数分の再生権を伴うコンテンツの購入をユーザから受け付ける購入処理ステップと、ユーザの人間関係情報に基づいてコンテンツの再生権を他ユーザに通知する再生権通知ステップと、再生権の通知に応じた所定人数以下の他ユーザにコンテンツの再生を許可する再生許可ステップとを含む。
【００１１】
本発明に係るコンテンツ共有方法は、複数のユーザ間におけるコンテンツの共有を可能にするコンテンツ共有方法である。コンテンツ共有方法は、ユーザの電子アドレス帳上及びソーシャルメディア上におけるユーザの人間関係情報を管理するコンテンツ共有システムに接続可能なコンテンツ共有装置によって、所定人数分の再生権を伴うコンテンツを購入したユーザから、ユーザの人間関係情報に基づいてコンテンツの再生権の通知を受ける再生権被通知ステップと、コンテンツの再生権が所定人数未満にのみ許可されている際にコンテンツ共有装置の他ユーザが再生権の通知に応じた場合に、コンテンツの再生が許可される再生被許可ステップとを含む。
【００１２】
本発明に係るコンテンツ共有プログラムは、複数のユーザ間におけるコンテンツの共有を可能にする、前述したコンテンツ共有システムによるコンテンツ共有方法をコンピュータに実行させるためのプログラムである。
【００１３】
本発明に係るコンテンツ共有プログラムは、複数のユーザ間におけるコンテンツの共有を可能にする、前述したコンテンツ共有装置によるコンテンツ共有方法をコンピュータに実行させるためのプログラムである。
【発明の効果】
【００１４】
本発明によれば、コンテンツ共有の利便性を向上可能なコンテンツ共有システム、コンテンツ共有装置、コンテンツ共有方法、及びコンテンツ共有プログラムを提供することができる。
【図面の簡単な説明】
【００１５】
【図１】本発明の実施形態に係るコミック共有システムの概略構成を示す図である。
【図２】本発明の実施形態に係るコミック共有システムの機能構成を示す図である。
【図３】ソーシャル電話帳上におけるユーザの人間関係情報の一例を示す図である。
【図４】コミック共有処理の基本的な手順を示すフローチャートである。
【図５】回読券を用いたコミックの共有を概念的に示す図である。
【図６】コミックの購入画面を示す図である。
【図７】コミックの閲覧画面を示す図である。
【図８】コミックの共有画面を示す図である。
【図９】共有パターンの選択画面を示す図である。
【図１０】共有パターンＡの共有形態を示す図である。
【図１１】共有パターンＡによる共有処理を示すフローチャートである。
【図１２】共有パターンＢの共有形態を示す図である。
【図１３】共有パターンＢによる共有処理を示すフローチャートである。
【図１４】共有パターンＣの共有形態を示す図である。
【図１５】共有パターンＣによる共有処理を示すフローチャートである。
【図１６】共有パターンＤの共有形態を示す図である。
【図１７】勧誘相手によるコミックの閲覧履歴に応じた通知形態の変更を概念的に示す図である。
【発明を実施するための形態】
【００１６】
以下、添付図面を参照して、本発明の実施形態に係るコンテンツ共有システム、コンテンツ共有装置、コンテンツ共有方法、及びコンテンツ共有プログラムを詳細に説明する。なお、図面の説明において同一の要素には同一の符号を付し、重複する説明を省略する。
【００１７】
コンテンツ共有システムは、複数のユーザ間における電子書籍、映像コンテンツ、楽曲コンテンツ等の共有を可能にするシステムである。以下では、コンテンツ共有システムの一例として、コミック（漫画本）の共有を可能にするコミック共有システムについて説明する。
【００１８】
まず、図１から図２を参照して、本発明の実施形態に係るコミック共有システムの構成について説明する。
【００１９】
図１は、本発明の実施形態に係るコミック共有システムの概略構成を示す図である。図１に示すように、コミック共有システムは、複数のユーザ間におけるコミックの共有を可能にするコミック共有システム１００を中心として構成される。コミック共有システム１００は、インターネット等の通信ネットワークＮＷを通じてコミック管理装置４０、複数のユーザ端末５０、５０…、及びソーシャルメディアサーバ１５、１５、…に接続される。
【００２０】
コミック管理装置４０は、ユーザ端末５０からサービスサーバ３０を介して要求されるコミックの購入、ダウンロード等を管理する装置である。コミック管理装置４０は、例えば、コミックのデータ及び書誌情報を管理するためのデータベース（以下、ＤＢと略記する。）を伴うサーバ又はサーバ群として構成される。
【００２１】
ユーザ端末５０は、コミック共有システム１００に接続可能なコミック共有装置である。ユーザ端末５０は、例えば、スマートフォン、携帯電話、電子書籍リーダ、パーソナルコンピュータ等として構成される。ユーザ端末５０は、ソーシャル電話帳アプリケーション（以下、電話帳アプリケーションと略記する。）及びコンテンツプロバイダ（以下、ＣＰと略記する。）アプリケーションを搭載できる。
【００２２】
コミック共有システム１００は、複数のユーザ間におけるコミックの共有を実現するシステムである。コミック共有システム１００は、例えば、ソーシャル電話帳アグリゲーションサーバ１０（以下、電話帳サーバ１０と略記する。）、シェアプラットホームサーバ２０（以下、共有サーバ２０と略記する。）、及びＣＰサービスサーバ３０（以下、サービスサーバ３０と略記する。）として構成される。なお、共有サーバ２０とサービスサーバ３０は、単一のサーバ（又はサーバ群）として構成されてもよい。
【００２３】
電話帳サーバ１０は、電話帳アプリケーションを通じてユーザ端末５０に対するソーシャル電話帳機能の提供を実現する。電話帳サーバ１０は、ソーシャル電話帳上におけるユーザの人間関係情報を管理する。電話帳サーバ１０は、ネットワークＮＷを通じて複数のソーシャルメディアサーバ１５、１５…と接続される。
【００２４】
共有サーバ２０は、ソーシャル電話帳上におけるユーザの人間関係情報に基づいて各種コンテンツの共有を実現するための共有プラットホームを各種サービスサーバ３０に提供する。サービスサーバ３０は、ＣＰアプリケーションを通じてＣＰサービスをユーザ端末５０に提供する。サービスサーバ３０は、ＣＰサービスの一環として各種コンテンツの共有サービス等を提供する。
【００２５】
共有サーバ２０、サービスサーバ３０及びユーザ端末５０は、電話帳サーバ１０により管理されるユーザの人間関係情報に専用プログラムインタフェース（ＡＰＩ）を通じてアクセス可能である。電話帳サーバ１０及びサービスサーバ３０は、共有サーバ２０により管理されるコミックの共有情報にアクセス可能である。ユーザ端末５０は、ネットワークＮＷを通じてサービスサーバ３０にアクセス可能である。
【００２６】
図２は、本発明の実施形態に係るコミック共有システムの機能構成を示す図である。図２に示すように、電話帳サーバ１０は、人間関係情報ＤＢ１１、人間関係情報管理部１２、電話帳機能提供部１３及び通知処理部１４を備える。電話帳サーバ１０は、ＣＰＵ、ＲＯＭ、ＲＡＭを主体として構成されるコンピュータであり、ＣＰＵによるプログラムの実行を通じて、人間関係情報ＤＢ１１、人間関係情報管理部１２、電話帳機能提供部１３及び通知処理部１４の機能を実現する。
【００２７】
人間関係情報ＤＢ１１は、ソーシャル電話帳上におけるユーザの人間関係情報を管理するためのＤＢである。なお、ソーシャル電話帳及び人間関係情報の詳細については、図３を参照して後述する。
【００２８】
人間関係情報管理部１２は、ユーザの人間関係情報を人間関係情報ＤＢ１１上で管理する。人間関係情報管理部１２は、ユーザの電子アドレス帳上及びソーシャルメディア上における人間関係情報を管理する。すなわち、ユーザと他ユーザの間で行われる意志疎通の状況に基づいてユーザの人間関係情報を記憶・更新する。人間関係情報管理部１２は、共有サーバ２０、サービスサーバ３０及びユーザ端末５０から人間関係情報ＤＢ１１へのアクセスを管理する。
【００２９】
電話帳機能提供部１３は、ソーシャル電話帳機能をユーザ端末５０に提供する。ソーシャル電話帳機能は、人間関係情報の登録・検索・閲覧、各種ソーシャルサービスを通じてユーザに送信されるメッセージの一元的な管理、アドレス変更時における他ユーザへの自動通知等の機能を含む。
【００３０】
通知処理部１４は、コミックの共有に関する情報を他ユーザに通知する。通知処理部１４は、例えば、ユーザが回読券付きコミックを購入すると、回読の勧誘を他ユーザに通知する。通知処理部１４は、ユーザの人間関係情報に基づいてコミックの再生権を他ユーザに通知する再生権通知部としても機能する。なお、コミックの再生権とは、ユーザが購入したコミックに付随する回読券の残数に基づいて他ユーザがコミックを再生（閲覧）できる可能性を意味する。
【００３１】
共有サーバ２０は、共有情報ＤＢ２１及び共有情報管理部２２を備える。共有サーバ２０は、ＣＰＵ、ＲＯＭ、ＲＡＭを主体として構成されるコンピュータであり、ＣＰＵによるプログラムの実行を通じて、共有情報ＤＢ２１及び共有情報管理部２２の機能を実現する。
【００３２】
共有情報ＤＢ２１は、コミックの共有に用いる共有情報を管理するためのＤＢである。共有情報は、コミックの共有に用いる回読券及び閲覧券の利用状況を示す情報を含む。回読券（再生権）とは、他ユーザによるコミックの閲覧（再生）を可能にするチケットである。閲覧券（二次再生権）とは、他ユーザから回読されるコミックの閲覧（再生）に利用可能なチケットである。なお、回読券及び閲覧券の詳細については、図５を参照して後述する。
【００３３】
共有情報管理部２２は、コミックの共有情報を共有情報ＤＢ２１上で管理する。共有情報管理部２２は、電話帳サーバ１０及びサービスサーバ３０による共有情報へのアクセスを管理する。
【００３４】
サービスサーバ３０は、ユーザ情報ＤＢ３１、ユーザ情報管理部３２、購入処理部３３、閲覧処理部３４、及び共有処理部３５を備える。サービスサーバ３０は、ＣＰＵ、ＲＯＭ、ＲＡＭを主体として構成されるコンピュータであり、ＣＰＵによるプログラムの実行を通じて、ユーザ情報ＤＢ３１、ユーザ情報管理部３２、購入処理部３３、閲覧処理部３４、及び共有処理部３５の機能を実現する。
【００３５】
ユーザ情報ＤＢ３１は、コミック共有サービスの登録ユーザのユーザ情報を管理するためのＤＢである。ユーザ情報は、ユーザＩＤ、認証情報、コミックの購入等に用いるポイントの残数、コミックの購入履歴情報及び閲覧履歴情報を含む。
【００３６】
ユーザ情報管理部３２は、ユーザ情報をユーザ情報ＤＢ３１上で管理する。ユーザ情報管理部３２は、サービスサーバ３０上で運用されるサービスサイトを利用するユーザの各種操作に応じてユーザ情報を更新する。
【００３７】
購入処理部３３は、コミック管理装置４０を通じてコミックの購入処理を行う。購入処理部３３は、コミック、回読券付きコミック、つまり所定人数分の再生権を伴うコミック、又は回読券の購入をユーザから受け付ける。
【００３８】
閲覧処理部３４は、コミック管理装置４０を通じてコミックの閲覧処理を行う。閲覧処理部３４は、ユーザが購入したコミック又はユーザが他のユーザと共有するコミックの閲覧をユーザから受け付ける。
【００３９】
共有処理部３５は、電話帳サーバ１０、共有サーバ２０及びユーザ端末５０の間でコミックの共有処理を行う。共有処理部３５は、ユーザにより選択される共有パターンに従ってコミックの共有を実現する。
【００４０】
共有処理部３５は、再生権の通知に応じた所定人数以下の他ユーザにコミックの再生を許可する再生許可部としても機能する。共有処理部３５は、ユーザにより購入されたコミックの再生が他ユーザに許可された場合に、複数のユーザ間で共有可能な他コミックの再生に利用可能な二次再生権（閲覧券）をユーザに付与する二次再生権付与部としても機能する。共有処理部３５は、コミック共有システム１００により提供されるコミック共有サービスの登録ユーザにコミックの再生権を提示する再生権提示部としても機能する。
【００４１】
ユーザ端末５０は、電話帳処理部５１及びサービス処理部５２を備える。ユーザ端末５０は、ＣＰＵ、ＲＯＭ、ＲＡＭを主体として構成されるコンピュータであり、ＣＰＵによるプログラムの実行を通じて、電話帳処理部５１及びサービス処理部５２の機能を実現する。
【００４２】
電話帳処理部５１は、電話帳アプリケーションの実行を通じて、前述したソーシャル電話帳機能の提供を実現する。電話帳処理部５１は、電話帳サーバ１０を通じたコミックの共有の通知を可能にする。電話帳処理部５１は、所定人数分の再生権を伴うコミックを購入したユーザから、ユーザの人間関係情報に基づいてコンテンツの再生権の通知を受ける再生権被通知部としても機能する。
【００４３】
サービス処理部５２は、ＣＰアプリケーションの実行を通じてＣＰサービスの提供を実現する。サービス処理部５２は、サービスサーバ３０を通じたコミックの購入、閲覧、共有を可能にする。サービス処理部５２は、コミックの再生権が所定人数未満にのみ許可されている際に他ユーザが再生権の通知に応じた場合に、コミックの再生が許可される再生被許可部としても機能する。
【００４４】
つぎに、図３から図１７を参照して、本発明の実施形態に係るコミック共有システムの動作及びコミック共有方法について説明する。コミック共有方法は、コミック共有システム及びユーザ端末５０上で実行されるプログラムにより実現される。
【００４５】
図３は、ソーシャル電話帳上におけるユーザの人間関係情報の一例を示す図である。ソーシャル電話帳には、ユーザの電子アドレス帳上及びソーシャルメディア上におけるユーザの人間関係情報が統合管理されている。電子アドレス帳とは、通話相手となり得るユーザの電話番号、電子メールアドレス等を管理するものであり、ソーシャルメディアとは、例えば、電子掲示板、ブログ、ソーシャル・ネットワーキング・サービス（ＳＮＳ）等のメディアである。ソーシャル電話帳では、通話相手となり得るユーザとソーシャルメディア上のユーザが同一である場合には、両者の情報が関連付けられて管理される。人間関係情報には、例えば、通話相手となり得るユーザ、各種ソーシャルメディアを通じた意思疎通の相手となるユーザ、直接の友人、又は友人の友人等、人間関係の区分に関する情報が含まれる。
【００４６】
図３に示す例では、ソーシャル電話帳上の他ユーザは、ユーザＵとの意思疎通のレベルに応じて、電子アドレス帳にのみ含まれるユーザＵ１、ソーシャルメディア１による通信相手リストにのみ含まれるユーザＵ２、ソーシャルメディア２による通信相手リストにのみ含まれるユーザＵ３、電子アドレス帳とソーシャルメディア１及び／又は２による通信相手リストとに含まれるユーザＵ４に区分される。また、他ユーザは、ユーザとの間における意思疎通が双方向的に発信されるユーザ、一方向的に発信されるユーザに区分されてもよい。他ユーザは、ユーザの直接の友人であるユーザ、友人の友人であるユーザ、これら以外のユーザに区分されてもよい。他ユーザは、電話帳アプリケーションを搭載しているユーザ端末５０のユーザとそれ以外のユーザに区分されてもよい。これらの区分は、ユーザ操作により設定されてもよく、他ユーザとの間で行われる意志疎通の状況に基づいてユーザ端末５０により設定されてもよい。
【００４７】
図４は、コミック共有処理の基本的な手順を示すシーケンス図である。コミック共有処理は、図４に示すように、コミック共有システム１００と複数のユーザ端末５０、５０、…の間で行われる。コミック共有システム１００は、ユーザＵａの電子アドレス帳上及びソーシャルメディア上におけるユーザＵａの人間関係情報を管理している。コミック共有システム１００は、所定人数分の再生権を伴うコミックの購入をユーザＵａから受け付ける（Ｓ１）。コミック共有システム１００は、ユーザＵａの人間関係情報に基づいてコミックの再生権を他ユーザＵｂ、Ｕｃ、…に通知する（Ｓ２）。そして、コミック共有システム１００は、再生権の通知に応答（Ｓ３）した所定人数以下の他ユーザＵｂ、Ｕｃ、…にコミックの再生を許可する（Ｓ４）。これにより、コミックの再生権が所定人数未満にのみ許可されている際にユーザＵｂ、Ｕｃ、…が再生権の通知に応じた場合に、ユーザＵｂ、Ｕｃ、…にコミックの再生が許可される。
【００４８】
図５は、回読券を用いたコミックの共有を示す概念図である。図５に示すように、ユーザＵａは、回読券付きコミックを購入し、コミックの回読に他ユーザを勧誘できる。コミックに付随する回読券の数は、コミックの種類、販売時期等に基づいてＣＰ側で設定される。ユーザＵａからの勧誘によって、ユーザＵａのコミックに付随する回読券の残数に相当する人数以下の他ユーザにコミックの閲覧が許可される。ユーザＵｂが勧誘に応じてコミックを閲覧すると、ユーザＵａのコミックに付随する回読券が消費される。ユーザＵｂは、コミックの回読券を購入し、コミックの回読に更に他ユーザを勧誘できる。ユーザＵｂからの勧誘によって、ユーザＵｂが購入した回読券の残数に相当する人数以下の他ユーザにコミックの閲覧が許可される。
【００４９】
ユーザＵｂが勧誘に応じてコミックを閲覧すると、ユーザＵａには、複数のユーザ間で共有可能な他コミックの閲覧に利用可能な閲覧券が付与される。また、ユーザＵｂがコミックを閲覧した後に、関連コミックを購入したり回読券を購入したりした場合には、追加の閲覧券が付与されてもよい。閲覧券の付与によって、ユーザＵａは、閲覧券を用いて他コミックを閲覧できる。なお、ユーザＵｃが勧誘に応じてコミックを回読した場合についても同様に説明される。このため、ユーザ間では、閲覧券の付与をインセンティブとしてコミックの共有が促進される。
【００５０】
ユーザは、コミック共有サービスを利用するために、ユーザ端末５０を通じてサービスサイト上でユーザ登録を行う。ユーザは、ユーザ登録後に認証手続きを行うことで、コミックの購入、閲覧及び共有を行うことができる。
【００５１】
図６から図９は、サービスサイトにアクセスしたユーザ端末５０に表示されるサービス画面の一例を示している。ユーザ登録後に認証手続きを行ったユーザは、サービス画面の表示に従ってユーザ端末５０を操作することで、ＣＰアプリケーションを通じてコミック共有サービスを利用できる。なお、サービス画面は、ユーザ端末５０の操作に応じて上下にスクロールされる。
【００５２】
図６は、コミックの購入画面Ｉ１を示す図である。コミックの購入処理は、主に購入処理部３３とサービス処理部５２の間で行われる。図６に示すように、購入画面Ｉ１上部には、ポイント及び閲覧券の残数Ｉ１１とともに、画面切替えタブＩ１２が表示される。ユーザは、画面切替えタブＩ１２の選択操作を通じて、後述する購入画面Ｉ１、閲覧画面Ｉ２、及び共有画面Ｉ３を切り替えできる。購入画面Ｉ１には、ポイント及び回読券の購入欄Ｉ１３が表示される。ユーザは、ポイントの購入欄Ｉ１４に購入数を入力することで有料にてポイントを購入でき、回読券の購入欄Ｉ１５に購入数を入力することでポイントの残数を用いて回読券を購入できる。ポイントの残数は、ユーザＩＤに関連付けてユーザ情報管理部３２により管理される。
【００５３】
購入画面Ｉ１には、新たに購入可能となったコミックの案内欄Ｉ１６が表示される。コミックは、所定人数分の回読券を伴うコミックと、回読券を伴わないコミックとに区分される。案内欄Ｉ１６には、コミックのサムネイル、タイトル、巻番、購入に要するポイント等のコミック情報が表示される。ユーザは、所望のコミックを選択して購入ボタンＩ１７を操作することで、ポイントの残数を用いてコミックを購入できる。購入画面Ｉ１には、ユーザが購入可能なコミックの検索欄Ｉ１８が表示される。ユーザは、検索条件欄Ｉ１９を用いてコミックのタイトルを入力したり、ジャンルを選択したりすることで、コミック情報を検索し、検索結果に基づいてコミックを購入できる。コミックの回読券の残数は、ユーザＩＤ及びコミックＩＤに関連付けて共有情報管理部２２により管理される。また、コミックの購入履歴は、購入履歴情報としてユーザ情報管理部３２により管理される。
【００５４】
図７は、コミックの閲覧画面Ｉ２を示す図である。コミックの閲覧処理は、主に閲覧処理部３４を介してコミック管理装置４０とサービス処理部５２の間で行われる。図７に示すように、閲覧画面Ｉ２には、ユーザが購入したコミックを分類するための本棚を示す本棚欄Ｉ２１が表示される。ユーザは、購入したコミックを本棚に分類して管理できる。本棚は、ユーザのみがアクセスできる個人本棚と、ユーザとともにユーザにより設定された特定の他ユーザがアクセスできる共有本棚とに区分される。共有本棚には、コミック毎に回読券の残数Ｉ２２が表示される。共有本棚に関する情報は、ユーザＩＤ及びコミックＩＤに関連付けて共有情報管理部２２により管理される。
【００５５】
ユーザは、個人本棚又は共有本棚に管理されるコミックを選択して閲覧ボタンＩ２３を操作することで、コミックを閲覧できる。コミックの閲覧履歴は、ユーザの閲覧履歴情報としてユーザ情報管理部３２により管理される。登録ユーザである特定の他ユーザは、ユーザ端末５０を通じてサービスサイトにアクセスし、閲覧画面Ｉ２から共有本棚のコミックを閲覧できる。登録ユーザでない特定の他ユーザは、ユーザ端末５０を通じて共有本棚用ページにアクセスし、ページから共有本棚のコミックを閲覧できる。なお、いずれの場合も、コミックの回読券が残っていることが閲覧の前提となる。コミックの閲覧履歴は、他ユーザの閲覧履歴情報として、ユーザ情報管理部３２により管理される。
【００５６】
図８は、コミックの共有画面Ｉ３を示す図である。コミックの共有処理は、主に共有処理部３５とサービス処理部５２の間で行われる。図８に示すように、共有画面Ｉ３の回読欄Ｉ３１には、他ユーザから回読に勧誘されているコミックが表示される。回読欄Ｉ３１には、勧誘している他ユーザの名称が表示される。ユーザは、所望のコミックを選択して閲覧ボタンＩ３２を操作することで、コミックの回読券が残っていればコミックを閲覧できる。
【００５７】
共有画面Ｉ３の借入欄Ｉ３３には、他ユーザから借入可能なコミックが表示される。ユーザは、所望のコミックを選択して借入ボタンＩ３４を操作することで、コミックを借り入れて閲覧できる。コミックの借入は、コミックの回読券が残っている場合に許可される。また、コミックの借入には、コミックの種類に応じて、ユーザの閲覧券を必要とする場合と必要としない場合がある。共有画面Ｉ３の貸出欄Ｉ３５には、他ユーザに貸出可能なコミックが表示される。貸出欄Ｉ３５には、貸出可能なコミックに付随する回読券の残数が表示される。ユーザは、所望のコミックを選択して貸出ボタンＩ３６を操作することで、回読券の残数を用いてコミックを貸し出しできる。
【００５８】
図９は、共有パターンの選択画面Ｉ４を示す図である。選択画面Ｉ４は、購入画面Ｉ１上で回読券付きコミックを購入した場合に表示される。図９に示すように、選択画面Ｉ４には、閲覧ボタンＩ４１と、共有パターンＡ〜Ｄの選択ボタンＩ４２とが表示される。ユーザは、閲覧ボタンＩ４１を操作することでコミックを閲覧でき、所望の選択ボタンＩ４２を操作することで、回読券の残数に相当する人数以下のユーザとの間でコミックを共有できる。
【００５９】
共有パターンＡ（「早いもの勝ちで友人に回読する」）は、ユーザの人間関係情報に含まれる特定の他ユーザにコミックの再生権を通知し、通知に応じた時点が早い順に所定人数以下の他ユーザにコミックの再生を許可する共有形態である。なお、再生権とは、ユーザが購入したコミックに付随する回読券の残数に基づいて他ユーザがコミックを再生（閲覧）できる可能性を意味する。
【００６０】
共有パターンＢ（「友人を指定して回読する」）は、ユーザの人間関係情報に含まれるとともにユーザにより指定された所定人数以下の特定の他ユーザに再生権を通知し、通知に応じた全ての他ユーザにコミックの再生を許可する共有形態である。
【００６１】
共有パターンＣ（「友人と本棚で共有する」）は、ユーザにより購入されたコミックが管理される管理場所の情報とともに、管理場所にアクセス可能な他ユーザにコミックの再生権を通知し、通知に応じた時点が早い順に所定人数以下の他ユーザにコミックの再生を許可する共有形態である。購入されたコミックは、勧誘されるユーザ（勧誘相手）がアクセス可能な共有本棚（管理場所）に管理される。
【００６２】
共有パターンＤ（「サービスサイト上で貸出す」）は、コミック共有サービスの登録ユーザにコミックの再生権を提示し、提示に応じた時点が早い順に所定人数以下の登録ユーザに再生を許可する共有形態である。再生権は、他ユーザのユーザ端末５０に表示される共有画面Ｉ３上の借入欄Ｉ３３に提示される。再生権の提示は、コミックを購入したユーザを匿名にした状態で行うことができる。
【００６３】
共有パターンＡ〜Ｃによる回読の勧誘では、通知処理部１４は、ユーザの人間関係情報に基づいてコミックの再生権を他ユーザに通知する。勧誘の通知は、他ユーザがサービスの登録ユーザであれば、他ユーザのユーザ端末５０に表示される共有画面Ｉ３上の回読欄Ｉ３１にも表示される。そして、共有処理部３５は、再生権の通知に応じた所定人数以下の他ユーザにコミックの再生、つまり閲覧を許可する。一方、共有パターンＤによる回読の勧誘では、共有処理部３５は、コミックの再生権を登録ユーザに提示する。勧誘の提示は、ユーザ以外の登録ユーザのユーザ端末５０に表示される共有画面Ｉ３上の借入欄Ｉ３３に表示される。そして、共有処理部３５は、再生権の提示に応じた所定人数以下の他ユーザにコミックの再生を許可する。
【００６４】
図１０は、共有パターンＡの共有形態を示す図である。ユーザが共有パターンＡによる共有を選択すると、ユーザ端末５０には、勧誘の確認画面Ｉ５が表示される。確認画面Ｉ５には、人間関係情報ＤＢ１１に管理されるユーザの人間関係情報に基づいて特定される勧誘相手が表示される。
【００６５】
勧誘相手は、ユーザによる設定に基づいて、例えば、ユーザのソーシャル電話帳に含まれる直接の友人として特定される。また、勧誘相手は、例えば、電子アドレス帳と特定のソーシャルメディアによる通信相手リストとの両方に含まれるユーザ、又はユーザとの間で意思疎通が双方向的に発信されるユーザとして特定されてもよい。すなわち、勧誘相手は、人間関係情報に基づいて、ユーザとの間で情報の共有度が高く、コミックの共有を望む可能性が高い他ユーザとして特定される。
【００６６】
ユーザは、確認画面Ｉ５上で勧誘相手を確認して勧誘ボタンＩ５１を操作することで、勧誘相手を回読に勧誘できる。共有処理部３５は、勧誘の通知に用いる勧誘相手のユーザＩＤ、コミック情報等を通知処理部１４に送信する。ユーザが勧誘ボタンＩ５１を操作すると、勧誘相手のユーザ端末５０には、勧誘の通知メッセージが表示される。通知メッセージは、勧誘相手が電話帳アプリケーションを利用しているか否か、つまり人間関係情報にアクセス可能であるか否かに応じて異なる形態で表示される。
【００６７】
電話帳アプリケーションを利用している勧誘相手のユーザ端末５０には、コミックのサムネイルを含む情報量の多い形態で通知メッセージＭ１が表示される。この場合、通知メッセージＭ１は、例えば、電話帳アプリケーションのメッセージ画面、つまり各種ソーシャルメディアを通じて勧誘相手に送信されるメッセージを一元的に表示する画面に表示される。通知メッセージＭ１は、サービスサイト上に生成される共有パターンＡの回読用ページへのリンク情報を伴う閲覧ボタンＭ１１を含む。通知処理部１４は、勧誘相手のユーザ端末５０上の電話帳アプリケーションに通知メッセージＭ１を表示させる。
【００６８】
一方、電話帳アプリケーションを利用していない勧誘相手のユーザ端末５０には、テキスト情報を用いた情報量の少ない形態で通知メッセージＭ２が表示される。この場合、通知メッセージＭ２は、ソーシャルメディアのダイレクトメールとしてソーシャルメディアのメッセージ画面に表示される。通知メッセージＭ２は、共有パターンＡの回読用ページへのＵＲＬリンクＭ２１を含む。通知処理部１４は、ソーシャルメディアサーバ１５を介して勧誘相手のユーザ端末５０上のソーシャルメディア・アプリケーションに通知メッセージＭ２を表示させる。
【００６９】
図１１は、共有パターンＡによる共有処理を示すフローチャートである。勧誘相手が閲覧ボタンＭ１１又はＵＲＬリンクＭ２１を操作すると、勧誘相手のユーザ端末５０は、回読用ページにアクセスする。共有パターンＡの回読用ページへのアクセスは、サービスへの登録の有無に拘わらず全ての勧誘相手に許可されている。
【００７０】
共有処理部３５は、ユーザ端末５０のアクセスに応じて共有情報ＤＢ２１にアクセスし、回読券の残数を確認する（Ｓ１１）。そして、回読券が残っている場合には、共有処理部３５は、コミックの閲覧を通信相手に許可し（Ｓ１２）。共有処理部３５は、ユーザのコミックに付随する回読券の残数を１つ減ずるとともにユーザの閲覧券の残数を追加するように共有情報管理部２２に指示する（Ｓ１３）。
【００７１】
閲覧処理部３４は、コミック管理装置４０との間でコミックの閲覧処理を行う（Ｓ１４）。閲覧処理部３４は、コミック管理装置４０にコミックの閲覧を予約し、コミック管理装置４０からコミックデータのダウンロード予約を受け付けると、ユーザ端末５０を閲覧起動ページにアクセスさせる。そして、ページアクセスに応じて、サービス処理部５２は、ビューワを起動し、コミック管理装置４０からのコミックデータのダウンロード及び再生を行う。コミックデータの閲覧が終了すると、サービス処理部５２は、閲覧の終了を共有処理部３５に通知する。共有処理部３５は、勧誘相手が登録ユーザであるか否かを判定する（Ｓ１５）。登録ユーザの判定は、例えば、ブラウザのＣｏｏｋｉｅ機能を用いたり、ユーザ端末５０からユーザ情報を取得したりすることで行われる。
【００７２】
そして、登録ユーザである場合には、共有処理部３５は、例えば、コミックの続編となる他コミック、同一作者による他コミック等の関連コミックが購入可能である場合には、関連コミックの購入を勧誘相手に促す（Ｓ１６）。また、共有処理部３５は、更に他のユーザにコミックを回読するために用いる回読券の購入を勧誘相手に促す（Ｓ１７）。一方、登録ユーザでない場合には、共有処理部３５は、ユーザ登録を勧誘相手に促す（Ｓ１８）。Ｓ１１にて回読券が残っていない場合には、共有処理部３５は、勧誘相手が登録ユーザであるか否かを判定する（Ｓ１９）。そして、登録ユーザである場合には、共有処理部３５は、コミックを閲覧できない旨を勧誘相手に知らせるとともに、コミック又は回読券の購入を促す（Ｓ２０）。一方、登録ユーザでない場合には、共有処理部３５は、コミックを閲覧できない旨を勧誘相手に知らせるとともに、ユーザ登録後のコミックの購入を促す（Ｓ２１）。
【００７３】
これにより、コミックを購入したユーザは、例えば、ユーザのソーシャル電話帳に含まれる直接の友人等、ユーザとの間で情報の共有度が高く、コミックの共有を望む可能性が高い他ユーザとの間でコミックを共有し易くなる。また、共有相手となる他ユーザは、サービスを利用したり、サービスサイトにアクセスしたりしなくても、共有可能なコミックを認識できる。
【００７４】
図１２は、共有パターンＢの共有形態を示す図である。ユーザが共有パターンＢによる共有を選択すると、ユーザ端末５０には、勧誘の確認画面Ｉ６が表示される。確認画面Ｉ６には、ユーザの人間関係情報に基づく勧誘相手が表示される。ユーザは、確認画面Ｉ６上の指定領域Ｉ６１における指定操作を通じて、表示された勧誘相手のうち回読券の残数以下の勧誘相手を指定して勧誘ボタンＩ６２を操作することで、勧誘相手を回読に勧誘できる。ユーザが勧誘ボタンＩ６２を操作すると、勧誘相手のユーザ端末５０には、勧誘の通知メッセージＭ３又はＭ４が表示される。通知メッセージは、共有パターンＡの場合と同様に２つの形態のうちのいずれかで表示される。
【００７５】
図１３は、共有パターンＢによる共有処理を示すフローチャートである。勧誘相手が閲覧ボタンＭ３１又はＵＲＬリンクＭ４１を操作すると、勧誘相手のユーザ端末５０は、サービスサイト上に生成される共有パターンＢの回読用ページにアクセスする。共有パターンＢの回読用ページへのアクセスは、サービスへの登録の有無に拘わらず、ＵＲＬパラメータの設定を通じて個々の勧誘相手のみに許可されている。つまり、サービスサイト上には、勧誘相手の人数に相当する数の回読用ページが生成される。
【００７６】
共有処理部３５は、アクセスに用いられたＵＲＬパラメータを確認する（Ｓ３１）。そして、ＵＲＬパラメータが適正でない場合には、共有処理部３５は、コミックを閲覧できない旨を勧誘相手に知らせる（Ｓ３２）。一方、ＵＲＬパラメータが適正である場合には、共有処理部３５は、コミックの閲覧を許可する（Ｓ３３）。共有処理部３５は、ユーザのコミックに付随する回読券の残数を１つ減ずるとともにユーザの閲覧券の残数を追加するように共有情報管理部２２に指示する（Ｓ３４）。その後、共有パターンＡの場合と同様に、コミックの閲覧処理（Ｓ３５）、登録ユーザの判定（Ｓ３６）、関連コミック又は回読券の購入に関する勧誘（Ｓ３７、Ｓ３８）、ユーザ登録の勧誘（Ｓ３９）等が行われる。
【００７７】
これにより、コミックを購入したユーザは、ユーザとの間で情報の共有度が高く、コミックの共有を望む可能性が高い他ユーザを指定した上で、他ユーザとの間でコミックを共有し易くなる。また、共有相手となる他ユーザは、サービスを利用したり、サービスサイトにアクセスしたりしなくても、共有可能なコミックを認識できる。
【００７８】
図１４は、共有パターンＣの共有形態を示す図である。図１５は、共有パターンＣによる共有処理を示すフローチャートである。ユーザが共有パターンＣによる共有を選択すると、共有処理部３５は、ユーザの共有本棚が存在するか否かを判定する（Ｓ４１）。そして、共有本棚が存在する場合には、ユーザ端末５０には、勧誘の確認画面Ｉ７が表示される（Ｓ４２）。確認画面Ｉ７には、指定領域Ｉ７１に共有本棚が表示される。ユーザは、指定領域Ｉ７１にて共有本棚を指定して勧誘ボタンＩ７２を操作することで、勧誘相手を回読に勧誘できる。共有パターンＣでは、コミックが管理される共有本棚にアクセス可能なユーザが勧誘相手として特定される。
【００７９】
ユーザが勧誘ボタンを操作すると（Ｓ４３にてＹｅｓの場合）、共有処理部は、勧誘相手が電話帳アプリケーションを利用しているか否かを判定する（Ｓ４４）。そして、電話帳アプリケーションを利用している場合には、通知処理部１４は、サービスサイト上に生成される共有本棚用ページへのリンク情報を含む本棚ボタンＭ５１を有する通知メッセージＭ５を勧誘相手のユーザ端末５０に表示させる（Ｓ４５）。一方、電話帳アプリケーションを利用していない場合には、共有処理部３５は、共有本棚用ページへのＵＲＬリンクＭ６１を含む通知メッセージＭ６の送信をユーザに促すメッセージをユーザのユーザ端末５０に表示させる（Ｓ４６）。ユーザは、ソーシャルメディア・アプリケーション等を用いて通知メッセージＭ６を他ユーザに送信できる。
【００８０】
Ｓ４１にて共有本棚が存在しない場合には、共有処理部３５は、ユーザが電話帳アプリケーションを利用しているか否かを判定する（Ｓ４７）。そして、電話帳アプリケーションを利用している場合には、共有処理部３５は、共有本棚の生成及びアクセス権限の設定をユーザに促す（Ｓ４８）。ここで、共有本棚の名称がユーザにより入力されるとともに、共有本棚にアクセス可能な他ユーザが人間関係情報に基づいてユーザにより指定される。そして、通知処理部１４は、指定された他ユーザのユーザ端末５０に通知メッセージＭ５を表示させる。一方、電話帳アプリケーションを利用していない場合には、共有処理部３５は、共有本棚の生成をユーザに促す（Ｓ４９）。ここで、共有本棚の名称がユーザにより入力される。そして、共有処理部３５は、通知メッセージＭ６の送信をユーザに促すメッセージをユーザのユーザ端末５０に表示させる。
【００８１】
勧誘相手が本棚ボタンＭ５１又はＵＲＬリンクＭ６１を操作すると、勧誘相手のユーザ端末５０は、共有本棚用ページにアクセスする。共有本棚用ページへのアクセスは、サービスへの登録の有無に拘わらず全ての勧誘相手に許可されている。共有処理部３５は、ユーザ端末５０のアクセスに応じて共有情報ＤＢ２１にアクセスし、ユーザのコミックに付随する回読券の残数を確認する。そして、共有処理部３５は、回読券が残っていない場合には、コミックを閲覧できない旨を勧誘相手に知らせる。一方、回読券が残っている場合には、コミックの閲覧が許可され、回読券の残数が１つ減じられるとともに、ユーザの閲覧券の残数が追加される。勧誘相手は、共有本棚用ページ上でコミックを閲覧できるとともに、共有本棚に管理されており回読券が残っている他コミックも閲覧できる。共有パターンＡの場合と同様に、コミックの閲覧処理、登録ユーザの判定、関連コミック又は回読券の購入に関する勧誘、ユーザ登録の勧誘等が行われる。
【００８２】
これにより、コミックを購入したユーザは、ユーザとの間で情報の共有度が高く、コミックの共有を望む可能性が高い他ユーザからアクセス可能な共有本棚を指定した上で、他ユーザとの間でコミックを共有し易くなる。また、共有相手となる他ユーザは、サービスを利用したり、サービスサイトにアクセスしたりしなくても、共有可能なコミックを認識できる。
【００８３】
図１６は、共有パターンＤの共有形態を示す図である。ユーザが共有パターンＤによる共有を選択すると、ユーザ端末５０には、勧誘の確認画面Ｉ８が表示される。確認画面Ｉ８には、ユーザ名称の公開条件を設定するための設定ボタンＩ８１が表示される。ユーザは、設定ボタンＩ８１の操作を通じて、公開条件を設定して勧誘ボタンＩ８２を操作することで、勧誘相手を回読に勧誘できる。共有パターンＤでは、ユーザ以外の登録ユーザが勧誘相手となる。
【００８４】
ユーザが勧誘ボタンＩ８２を操作すると、勧誘相手のユーザ端末５０上では、共有されるコミックのコミック情報Ｉ９２が共有画面Ｉ９上の借入欄Ｉ９１に追加される。借入欄Ｉ９１には、ユーザ名称の公開条件に応じて、ユーザの名称又はユーザが匿名を希望している旨（例えば、サイト内でのニックネームのみ）が表示される。借入欄Ｉ９１には、サービスサイト上に生成される共有パターンＤの回読用ページへのリンク情報を含む借入ボタンＩ９３も表示される。
【００８５】
勧誘相手が借入ボタンＩ９３を操作すると、勧誘相手のユーザ端末５０は、回読用ページにアクセスする。共有パターンＤの回読用ページへのアクセスは、サービスの登録ユーザである全ての勧誘相手に許可されている。共有処理部３５は、ユーザ端末５０のアクセスに応じて共有情報ＤＢ２１にアクセスし、ユーザのコミックに付随する回読券の残数を確認する。そして、共有処理部３５は、回読券が残っていない場合には、コミックを閲覧できない旨を勧誘相手に知らせる。一方、回読券が残っている場合には、コミックの閲覧が許可され、回読券の残数が１つ減じられるとともに、ユーザの閲覧券の残数が追加される。なお、コミックの閲覧には、コミックの種類に応じて閲覧券が必要とされる場合と必要とされない場合がある。その後、共有パターンＡの場合と同様に、コミックの閲覧処理、関連コミック又は回読券の購入に関する勧誘等が行われる。なお、共有パターンＤでは、勧誘相手が登録ユーザであるので、登録ユーザの判定、及びユーザ登録の勧誘は行われない。
【００８６】
これにより、コミックを購入したユーザは、ユーザ名を匿名にすることで、サービスの登録ユーザの間でコミックを共有し易くなる。特に、ユーザは、ユーザ名を明示した状態では共有し難いコミックでも、閲覧券の付与がインセンティブとなり、ユーザ名を匿名にした状態で登録ユーザの間で共有することを促される。
【００８７】
ところで、前述した共有パターンＡ〜Ｃでは、他ユーザがユーザの勧誘に応じて閲覧を行わない場合、又はユーザが他ユーザを回読に勧誘しない場合には、回読券が有効に利用されないことになる。このため、共有処理部３５は、例えば以下に示すような方法で、利用されていない回読券の利用をユーザに促してもよい。
【００８８】
回読券付きコミックの購入から所定期間が経過しても利用されていない回読券が存在する場合には、共有処理部３５は、コミックを共有本棚に管理したことを共有本棚にアクセス可能なユーザに通知して、ユーザを回読に勧誘してもよい。これにより、通知に応じた時点が早い順に、未利用分に相当する人数以下の他ユーザにコミックの閲覧が許可される。
【００８９】
また、共有処理部３５は、共有画面Ｉ３上の貸出欄Ｉ３５に貸出可能なコミックとして表示して、図９にて説明したように共有パターンの選択をユーザに促してもよい。共有処理部３５は、共有画面Ｉ３上の借入欄Ｉ３３に借入可能なコミックとして表示して、登録ユーザを回読に勧誘してもよい。
【００９０】
また、共有処理部３５は、ユーザの人間関係情報及び他ユーザの閲覧履歴情報に基づいて、特定の勧誘相手を回読に勧誘してもよい。例えば、コミックの第５巻の回読券が利用されていない場合には、第１巻〜第４巻を閲覧してから所定期間が経過したにもかかわらず第５巻を閲覧していないユーザを回読に勧誘してもよい。
【００９１】
図１７は、勧誘相手によるコミックの閲覧履歴に応じた通知形態の変更を概念的に示す図である。前述した共有パターンＡ〜Ｃによる共有では、ユーザの選択に応じて、特定のコミックに対する勧誘（共有パターンＡ、Ｂ）、又は特定のコミックを管理する本棚に対する勧誘（共有パターンＣ）が通知される。しかし、これらの通知形態は、勧誘相手の状況、例えば勧誘相手によるコミックの閲覧履歴（再生履歴）に応じて変更されてもよい。
【００９２】
例えば、図１７に示すように、ユーザＵａは、コミックの第３巻を購入してコミックの第１巻〜第３巻を共有本棚に管理している。そして、ユーザＵａは、第３巻の回読にユーザＵｂを勧誘するために、共有パターンＡ又はＢによる共有を選択する。
【００９３】
ここで、図１７（ａ）に示す状況では、ユーザＵｂが第１巻及び第２巻を既に閲覧している。この場合、共有処理部３５は、ユーザＵｂの閲覧履歴情報に基づいてユーザＵｂが第１巻及び第２巻を既に閲覧したことを確認し、第３巻に対する勧誘を通知するように通知処理部１４に指示する。
【００９４】
一方、図１７（ｂ）に示す状況では、ユーザＵｂが第１巻及び第２巻を未だ閲覧していない。この場合、共有処理部３５は、ユーザの閲覧履歴情報に基づいてユーザＵｂが第１巻及び第２巻を未だ閲覧していないことを確認し、第３巻に対する勧誘に代えて、第３巻が管理される共有本棚に対する勧誘を通知するように通知処理部１４に指示する。これにより、購入されたコミックとともに、関連するコミックの共有が促進される。
【００９５】
以上説明したように、本発明の実施形態に係るコミック共有システム、コミック共有装置、コミック共有方法、及びコミック共有プログラムによれば、ユーザの電子アドレス帳上及びソーシャルメディア上におけるユーザの人間関係情報に基づいてコミックの再生権が他ユーザに通知される。このため、コミックの共有を望む他ユーザは、サービスを利用したり、能動的に行動したりしなくても、共有可能なコミックを認識できる。また、コミックを購入したユーザは、コミックの共有を望むか否かを人間関係情報に基づいて認識した上で他ユーザとの間においてコミックを共有し易くなる。
【００９６】
なお、前述した実施形態は、本発明に係るコンテンツ共有システム、コンテンツ共有装置、コンテンツ共有方法、及びコンテンツ共有プログラムの最良な実施形態を説明したものであり、本発明に係るコンテンツ共有システム、コンテンツ共有装置、コンテンツ共有方法、及びコンテンツ共有プログラムは、本実施形態に記載したものに限定されるものではない。本発明に係るコンテンツ共有システム、コンテンツ共有装置、コンテンツ共有方法、及びコンテンツ共有プログラムは、各請求項に記載した発明の要旨を逸脱しない範囲で本実施形態に係るコンテンツ共有システム、コンテンツ共有装置、コンテンツ共有方法、及びコンテンツ共有プログラムを変形し、または他のものに適用したものであってもよい。
【００９７】
例えば、上記実施形態の説明では、本発明に係るコンテンツ共有システムの一例として、コミック（漫画本）の共有を可能にするコミック共有システムについて説明したが、コミック以外の電子書籍、映像コンテンツ、楽曲コンテンツの共有を可能にするコンテンツ共有システムについても同様に説明できる。
【００９８】
また、上記実施形態の説明では、４つの共有パターンＡ〜Ｄから所望の共有パターンを選択する場合について説明した。しかし、共有パターンＡ〜Ｄのうち任意の２つ以上の共有パターンから所望の共有パターンを選択するようにしてもよく、任意の１つの共有パターンのみを用いるようにしてもよい。
【００９９】
また、上記実施形態の説明では、コミックの購入、閲覧、共有等がコミックの「巻」単位で行われる場合について説明したが、コミックの購入、閲覧、共有等が、例えば第１話、第２話、…というような「話」単位等、他の単位で行われる場合についても同様に説明される。
【符号の説明】
【０１００】
１００…コミック共有システム、１０…電話帳サーバ、１１…人間関係情報ＤＢ、１２…人間関係情報管理部、１３…電話帳機能提供部、１４…通知処理部、２０…共有サーバ、２１…共有情報ＤＢ、２２…共有情報管理部、３０…サービスサーバ、３１…ユーザ情報ＤＢ、３２…ユーザ情報管理部、３３…購入処理部、３４…閲覧処理部、３５…共有処理部、４０…コミック管理装置、５０…ユーザ端末、５１…電話帳処理部、５２…サービス処理部。
【図１】
2014143602.tif 000003
【図２】
2014143602.tif 000004
【図３】
2014143602.tif 000005
【図４】
2014143602.tif 000006
【図５】
2014143602.tif 000007
【図６】
2014143602.tif 000008
【図７】
2014143602.tif 000009
【図８】
2014143602.tif 000010
【図９】
2014143602.tif 000011
【図１０】
2014143602.tif 000012
【図１１】
2014143602.tif 000013
【図１２】
2014143602.tif 000014
【図１３】
2014143602.tif 000015
【図１４】
2014143602.tif 000016
【図１５】
2014143602.tif 000017
【図１６】
2014143602.tif 000018
【図１７】
2014143602.tif 000019